(57)【要約】【課題】蛍光ランプを収容するハウジングの例えば天井に対するボルト締め作業時において工具と蛍光ランプとの接触による破損を防止することができる照明装置を提供する。【解決手段】照明装置１１は、表面に蛍光ランプの収容凹部が形成されるとともに当該収容凹部が形成された表面と反対側の裏面において天井に固定されるハウジング１３と、前記ハウジング１３に対して蛍光ランプを覆うように取り付けられるレンズとを備えている。前記ハウジング１３において前記レンズにより覆われる部分以外の部位には当該ハウジング１３を天井に対して締め付け固定するための複数のボルト締め固定部３１を設けた。【選択図】      図２
2006012857.tif 000002
【特許請求の範囲】
【請求項１】
蛍光ランプの収容凹部が形成された表面と反対側の裏面において天井に固定されるハウジングを備え、当該ハウジングに対してレンズが前記蛍光ランプを覆うように取り付けられる照明装置において、
前記ハウジングにおいて前記レンズにより覆われる領域以外の部位には当該ハウジングを天井に対して締め付け固定するための単数又は複数のボルト締め固定部を設けた照明装置。
【請求項２】
請求項１に記載の照明装置において、
前記ボルト締め固定部は前記ハウジングの裏面外周部における片側に設けるようにし、当該裏面外周部における各ボルト締め固定部と反対側には当該ハウジングを天井に掛止するための複数の掛止部を設けるようにした照明装置。
【請求項３】
請求項１又は請求項２に記載の照明装置において、
前記ボルト締め固定部は円筒状に形成するとともにその先端面にはボルト挿通孔を形成し、
前記ハウジングの表面における前記レンズにより覆われない領域に当該ハウジングの裏面に設けられた前記ボルト締め固定部に対応するように且つ当該ボルト締め固定部の内部に連通するように固定用凹部を設けることにより当該固定用凹部側からボルトを前記ボルト挿通孔に挿通可能とし、
前記ハウジングの表面外周縁には前記固定用凹部を閉鎖可能とした閉鎖蓋をその基端縁を中心として開閉可能に設け、
前記閉鎖蓋の両側縁部の先端側にはそれぞれ係合突片を設け、
前記固定用凹部の互いに対向する両内側面には前記係合突片を係合可能とした係合突部を設け、
前記閉鎖蓋を閉じたとき、前記係合突片が固定用凹部の係合突部に係合することにより当該閉鎖蓋は固定用凹部を閉鎖した状態に保持されるようにした照明装置。
【請求項４】
請求項１〜請求項３のうちいずれか一項に記載の照明装置において、
前記ボルト締め固定部の先端面は天井に予め固定される取付用ブラケットに対して密着可能となるように形成した照明装置。
【発明の詳細な説明】
【技術分野】
【０００１】
本発明は、照明装置に関するものである。
【背景技術】
【０００２】
従来、蛍光灯用ソケットのハウジングに対する取付け構造としては次のような構成が知られている。即ち、図６（ａ），（ｂ）に示すように、蛍光灯用ソケット７１は専用の取付金具７２を介してハウジングの取付位置に固定されている。取付金具７２には、例えば図６（ａ）に示すＬ字状に形成されたもの、及び図６（ｂ）に示す円板状に形成されたものがある。図６（ａ），（ｂ）に示す両取付金具７２，７２において、蛍光灯用ソケット取付面７２ａの両側縁中央又は外周縁にはそれぞれＬ字状の係合爪７３，７３が互いに対向するように形成されている。両係合爪７３，７３はその先端部間の距離が蛍光灯用ソケット７１の外径よりも若干大きくなるようにその基端部を支点に拡開されている。
【０００３】
一方、前記蛍光灯用ソケット７１の外周には前記両係合爪７３，７３を係合可能とした一対の係合凹部７４，７４が互いに対角に位置するように形成されている。
蛍光灯用ソケット７１をハウジングに固定する場合、まず取付金具７２をハウジング内面に対してボルト、リベット又は溶接等により固定する。次に、蛍光灯用ソケット７１の固定面を取付金具７２の蛍光灯用ソケット取付面７２ａに対して密着させると共に、両係合爪７３，７３と両係合凹部７４，７４とをそれぞれ対応させる。この状態で、ラジオペンチ等の工具により取付金具７２の両係合爪７３，７３を外側（側方）から挟み付ける。すると、両係合爪７３，７３はその基端部を支点に互いに近接する方向へ塑性変形して両係合凹部７４，７４にそれぞれ係合する。これにより蛍光灯用ソケット７１は取付金具７２に対して固定される。
【発明の開示】
【発明が解決しようとする課題】
【０００４】
ところが、前記従来の蛍光灯用ソケットの取付構造を備えた照明装置においては、次のような問題があった。即ち、前記ハウジングにはレンズにより覆われる蛍光ランプの収容凹部が設けられており、当該収容凹部内にはハウジングを例えば天井に対して締め付け固定するための複数（４つ又は５つ）のボルト締め固定部がそれぞれ蛍光ランプを間に挟んで両側に設けられていた。このため、各ボルト固定部においてボルト締め作業を行う場合、蛍光ランプを跨いでボルト締め作業を行う必要があり、乱雑に扱うとドライバ及びレンチ等の工具が蛍光ランプに接触して破損するおそれがあった。
【０００５】
本発明は前記問題点を解決するためになされたものであって、その目的は、蛍光ランプを収容するハウジングの例えば天井に対するボルト締め作業時において工具と蛍光ランプとの接触による破損を防止することができる照明装置を提供することにある。
【課題を解決するための手段】
【０００６】
請求項１に記載の発明は、蛍光ランプの収容凹部が形成された表面と反対側の裏面において天井に固定されるハウジングを備え、当該ハウジングに対してレンズが前記蛍光ランプを覆うように取り付けられる照明装置において、前記ハウジングにおいて前記レンズにより覆われる領域以外の部位には当該ハウジングを天井に対して締め付け固定するための単数又は複数のボルト締め固定部を設けたことをその要旨とする。
【０００７】
本発明によれば、レンズをハウジングに対して装着した状態でハウジングを天井に対してボルト締め固定することができる。そして蛍光ランプが前記レンズにより覆われていることから、ボルト締め作業時、工具と蛍光ランプとが接触することはない。
【０００８】
請求項２に記載の発明は、請求項１に記載の照明装置において、前記ボルト締め固定部は前記ハウジングの裏面外周部における片側に設けるようにし、当該裏面外周部における各ボルト締め固定部と反対側には当該ハウジングを天井に掛止するための複数の掛止部を設けるようにしたことをその要旨とする。
【０００９】
本発明によれば、ボルト締め固定部をハウジングの裏面片側に設けるようにしたことにより、仮に前記レンズ未装着状態でハウジングを天井に固定する場合においても、蛍光ランプを跨いでボルト締めする必要がない。このため、ボルト締め作業時における工具と蛍光ランプとの接触による破損を防止することができる。また、ハウジングの裏面におけるボルト締め固定部と反対側には複数の掛止部を設けるようにしたことにより、ハウジングを天井に固定する際には、各掛止部を天井に掛止させることによりハウジングの片側を支持し、この状態で、ボルト締め固定部を天井に対してボルト締めすることによりハウジングのもう片側を固定すればよい。従って、各掛止部を仮にボルト締め固定部とした場合と異なり、ボルト締め箇所が少なくなることから、照明装置の天井への固定作業を簡単にすることができる。
【００１０】
請求項３に記載の発明は、請求項１又は請求項２に記載の照明装置において、前記ボルト締め固定部は円筒状に形成するとともにその先端面にはボルト挿通孔を形成するようにし、前記ハウジングの表面における前記レンズにより覆われない領域に当該ハウジングの裏面に設けられた前記ボルト締め固定部に対応するように且つ当該ボルト締め固定部の内部に連通するように固定用凹部を設けることにより当該固定用凹部側からボルトを前記ボルト挿通孔に挿通可能とし、前記ハウジングの表面外周縁には前記固定用凹部を閉鎖可能とした閉鎖蓋をその基端縁を中心として開閉可能に設け、前記閉鎖蓋の両側縁部の先端側にはそれぞれ係合突片を設け、前記固定用凹部の互いに対向する両内側面には前記係合突片を係合可能とした係合突部を設け、前記閉鎖蓋を閉じたとき、前記係合突片が固定用凹部の係合突部に係合することにより当該閉鎖蓋は固定用凹部を閉鎖した状態に保持されるようにしたことをその要旨とする。
【００１１】
本発明によれば、ボルト固定部のボルト挿通孔にボルトを固定用凹部側から挿通して締め付けることにより照明装置は天井に固定される。ボルト締め作業の完了後には、開閉蓋を閉じることにより固定用凹部を閉鎖すればよい。この閉鎖蓋はその係合突片が固定用凹部の係合突部に係合することにより当該閉鎖状態に保持される。
【００１２】
請求項４に記載の発明は、請求項１〜請求項３のうちいずれか一項に記載の照明装置において、前記ボルト締め固定部の先端面は天井に予め固定される取付用ブラケットに対して密着可能となるように形成したことをその要旨とする。
【００１３】
本発明によれば、ボルト締め固定部の先端面が天井に予め固定される取付用ブラケットに密着した状態でハウジングは天井に固定される。
【発明の効果】
【００１４】
本発明によれば、蛍光ランプを収容するハウジングの例えば天井に対するボルト締め作業時において工具と蛍光ランプとの接触による破損を防止することができる。
【発明を実施するための最良の形態】
【００１５】
以下、本発明を、例えば大型車等の車室内照明を行う照明装置に具体化した一実施形態を図１〜図５に従って説明する。
（全体）
図１に示すように、照明装置１１は例えば車室内の天井に取付用ブラケット（図示略）を介して取り付けられている。照明装置１１は、蛍光ランプ１２を収容するハウジング１３及び同ハウジング１３に対して蛍光ランプ１２を覆うように取り付けられたレンズ（図示略）を備えている。ハウジング１３は不透明の、また、レンズは透明又は半透明の合成樹脂材料によりそれぞれインジェクション成形により一体形成されている。
【００１６】
（ハウジング）
図１に示すように、ハウジング１３の表面（照明面）中央部には、蛍光ランプ１２の収容凹部２１が形成されている。収容凹部２１内には一対のソケットホルダ２２，２２がハウジング１３の長手方向において所定距離だけ離間するように突設されている。両ソケットホルダ２２，２２にはそれぞれ蛍光灯用ソケット２３，２３が装着されており、この装着状態は後述するソケットスペーサ６１により保持されている。両蛍光灯用ソケット２３，２３間には蛍光ランプ１２が取り付けられている。
【００１７】
また、ハウジング１３の表面外周部、即ちハウジング１３の表面における前記レンズにより覆われていない領域には、一対の固定用凹部２４，２４がハウジング１３の長手方向において所定距離だけ離間して形成されている。ハウジング１３の表面外周縁には、両固定用凹部２４，２４をそれぞれ閉鎖可能とした一対の閉鎖蓋２５，２５が両固定用凹部２４，２４にそれぞれ対応するように設けられている。閉鎖蓋２５はその基端縁の厚みが薄くされることにより、同基端縁を中心に揺動可能となっており、図３に実線で示す開放位置と同じく一点鎖線で示す閉鎖位置との間を移動する。
【００１８】
図１に示すように、閉鎖蓋２５の両側縁部先端側には、それぞれ係合突片２６，２６が形成されており、閉鎖蓋２５を閉じたとき（前記開放位置から前記閉鎖位置まで移動させたとき）、固定用凹部２４の両内側面にそれぞれ形成した係合突部２７，２７に対して係合するようになっている。そして、両係合突片２６，２６がそれぞれ両係合突部２７，２７に対して係合することにより、閉鎖蓋２５は前記閉鎖位置に保持される。
【００１９】
（ボルト締め固定部）
図２及び図３に示すように、ハウジング１３の裏面外周部には、一対の円筒状のボルト締め固定部３１，３１が突設されている。両ボルト締め固定部３１，３１はそれぞれ前記両固定用凹部２４，２４に対応するようにハウジング１３の長手方向において所定距離だけ離間している。即ち、両ボルト締め固定部３１，３１は、それぞれハウジング１３表面における前記レンズ取付け領域の外側の領域に対応する位置にある。図２に示すように、固定部３１の先端面にはボルト挿通孔３１ａが形成されている。また、固定部３１の内部は固定用凹部２４内に連通しており、同固定用凹部２４側からボルト（図示略）を前記ボルト挿通孔３１ａに挿通可能となっている。
【００２０】
（掛止部）
図２及び図３に示すように、ハウジング１３の裏面外周部における両固定部３１，３１の反対側には、複数（本実施形態では３つ）の掛止部３２，３２，３２が所定間隔毎に突設されている。掛止部３２は側面Ｌ字状に形成されており、その外面には複数の板状の補強リブ３３が所定間隔毎に設けられている。各掛止部３２，３２，３２は車室の天井に対して固定された前記取付用ブラケットの被掛止部（図示略）に対して掛止可能となっている。
【００２１】
（ソケットホルダ）
図４に示すように、前記ソケットホルダ２２は、収容凹部２１の内底面に対して突設された半小判形状の外壁４１と、同外壁４１の外周縁に沿うように、即ち帯状且つＵ字状に形成された外周壁４２とから、蛍光ランプ１２装着側の面が開口した箱体状に形成されている。外周壁４２内面の曲率半径は後述する蛍光灯用ソケット２３の外周面の曲率半径よりも若干大きくされており、蛍光灯用ソケット２３の外周面が外周壁４２の内周面に対して沿うようになっている。外周壁４２の先端部（円弧頂点部分）における蛍光ランプ１２装着側の側縁には、切欠部４２ａが形成されており、蛍光灯用ソケット２３をソケットホルダ２２に装着したとき、同蛍光灯用ソケット２３の電極通路５１が露出するようになっている。
【００２２】
外周壁４２の蛍光ランプ１２装着側の側縁には、一対の係合凸部４３，４３がそれぞれ外周壁４２に対して直交して互いに対向するように、且つ外周壁４２の内面から突出するように形成されている。また、外周壁４２の外壁４１側には、一対の係合孔４４，４４が互いに対向するように、且つ後述するソケットスペーサの両係合突起に対してそれぞれ対応するように形成されている。
【００２３】
図２及び図４に示すように、前記収容凹部２１の内底面において、外周壁４２の両基端部及び外壁４１にて囲まれた部分（外周壁４２の収容凹部２１内底面に対する投影部分）には、前記蛍光灯用ソケット２３及び後述するソケットスペーサ６１を挿通可能とした長方形状のソケット取付用孔４５が形成されている。このソケット取付用孔４５を介して蛍光灯用ソケット２３及びソケットスペーサ６１をハウジング１３の裏面側からソケットホルダ２２に対して装着可能となっている。
【００２４】
（蛍光灯用ソケット）
図４に示すように、蛍光灯用ソケット２３は、合成樹脂材料にて一端面が開口した薄円筒状に形成されている。蛍光灯用ソケット２３の内周面には蛍光ランプ１２両端の口金ピン（図示略）に対して電気的に接触するソケット側電極（図示略）が配設されている。蛍光灯用ソケット２３の外周壁の一部に切欠形成された電極通路５１を介して前記口金ピンを蛍光灯用ソケット２３内に進入させた状態で、蛍光ランプ１２を所定方向に回動させることにより、口金ピンとソケット側電極とが互いに接触保持されるようになっている。
【００２５】
また、蛍光灯用ソケット２３における開口端面の外周縁には一対の係合凹部５２，５２が形成されており、両係合凹部５２，５２は開口部を間に挟んで互いに対向するように配置されている。両係合凹部５２，５２はそれぞれ前記ソケットホルダ２２の係合凸部４３，４３が係合可能とされている。
【００２６】
（ソケットスペーサ）
図２に示すように、蛍光灯用ソケット２３と外壁４１内面との間にはソケットスペーサ６１が挿入（介在）されている。図４に示すように、ソケットスペーサ６１は、合成樹脂材料にて板状に形成されている。ソケットスペーサ６１の先端部は円弧状に形成されており、前記ソケットホルダ２２の外周壁４２内面に対して沿うようになっている。ソケットスペーサ６１の両側にはそれぞれアーム部６２，６２が形成されており、両アーム部６２，６２はそれぞれの基端部を支点として、互いに近接又は離間する方向へ弾性変位可能となっている。両アーム部６２，６２の先端外側には、それぞれ係合突部６３，６３が形成されており、両係合突部６３，６３は前記ソケットホルダ２２の両係合孔４４，４４に対してそれぞれ係合可能とされている。
【００２７】
（蛍光灯用ソケットの取付手順）
次に、蛍光灯用ソケット２３をソケットホルダ２２に対して取り付ける場合の組立手順について説明する。
【００２８】
まず、ハウジング１３の裏面側から蛍光灯用ソケット２３をソケット取付用孔４５を介してソケットホルダ２２内に挿入する。次に、蛍光灯用ソケット２３の両係合凹部５２，５２とソケットホルダ２２の両係合凸部４３，４３とを互いに係合可能に対応させた状態で、蛍光灯用ソケット２３と外壁４１との間にソケットスペーサ６１を挿入する。
【００２９】
ソケットスペーサ６１のソケットホルダ２２内への進入に伴い、蛍光灯用ソケット２３は外壁４１に対して離間する方向へ押圧される。この結果、蛍光灯用ソケット２３の両係合凹部５２，５２にはソケットホルダ２２の両係合凸部４３，４３が係合する。
【００３０】
一方、ソケットスペーサ６１の両係合突部６３，６３とソケットホルダ２２の内面との接触に基づいて、両アーム部６２，６２がそれぞれの基端部を支点として互いに近接する方向へ弾性変形する。この状態でソケットスペーサ６１はさらにソケットホルダ２２内に挿入される。そして、両係合突部６３，６３がソケットホルダ２２の内面に対して摺接しながらソケットホルダ２２の両係合孔４４，４４にそれぞれ対応する位置までソケットスペーサ６１が押し込まれると、両アーム部６２，６２は弾性復帰する。この結果、図５に示すように、両係合突部６３，６３はそれぞれ両係合孔４４，４４に対して係合する。これにより、ソケットスペーサ６１はソケットホルダ２２内における所定の位置に係止保持される。
【００３１】
また、ソケットスペーサ６１がソケットホルダ２２内に保持されることにより、蛍光灯用ソケット２３の両係合凹部５２，５２とソケットホルダ２２の両係合孔４４，４４との係合状態がそれぞれ保持される。この結果、蛍光灯用ソケット２３のソケットホルダ２２からの脱落及び同ソケットホルダ２２内における回動が防止される。即ち、蛍光灯用ソケット２３のソケットホルダ２２に対する装着状態が保持される。
【００３２】
このように、ソケットスペーサ６１により蛍光灯用ソケット２３はワンタッチでソケットホルダ２２に対して固定される。そして、両蛍光灯用ソケット２３，２３間に蛍光ランプ１２を取付けると共に、ハウジング１３に対して前記レンズを取り付ければ、照明装置１１の組立が終了となる。
【００３３】
（照明装置の取付手順）
次に、前述のように構成した照明装置１１を例えば車室内の天井に取り付ける場合の手順について説明する。尚、天井における照明装置１１取付け部位には予め取付用ブラケットが固定されている。
【００３４】
まず、閉鎖蓋２５を開放した状態で、前記取付用ブラケットの各被掛止部に対してハウジング１３の各掛止部３２，３２，３２をそれぞれ掛止させる。次に、両固定部３１の先端面を取付用ブラケットに対して密着させた状態で、固定部３１のボルト挿通孔３１ａにボルト（図示略）を固定用凹部２４側から挿通し、前記取付用ブラケットに対して締め付ける。これにより、照明装置１１は前記取付用ブラケットを介して天井に固定される。最後に両閉鎖蓋２５，２５を閉じれば、照明装置１１の天井への取付け作業が終了となる。
【００３５】
このように、ハウジング１３において、前記レンズにより覆われる領域以外の部分に両固定部３１を設けたことにより、レンズをハウジング１３に対して装着した状態で前記天井に固定可能となる。また、蛍光ランプ１２が前記レンズにより覆われていることから、ボルト締め作業時、工具と蛍光ランプ１２とが接触することはない。
【００３６】
さらに、両固定部３１，３１をハウジング１３の裏面片側に設けたことにより、仮に前記レンズ未装着状態でも、蛍光ランプ１２を跨いでボルト締めする必要がない。このため、ボルト締め作業時における工具と蛍光ランプ１２との接触が防止される。ちなみに、従来は、レンズにより覆われる収容凹部２１内において、複数（４つ又は５つ）のボルト締め固定部３１がそれぞれ蛍光ランプ１２を間に挟んで両側に設けられていた。このため、各固定部３１においてボルト締め作業を行う場合、蛍光ランプ１２を跨いでボルト締め作業を行う必要があり、乱雑に扱うとドライバ及びレンチ等の工具が蛍光ランプ１２に接触して破損するおそれがあった。
【００３７】
（実施形態の効果）
従って、本実施形態によれば、以下の効果を得ることができる。
（１）ソケットホルダ２２をハウジング１３と一体形成した。このため、ソケットホルダ２２をハウジング１３と別部材とした場合と異なり、ソケットホルダ２２のハウジング１３に対する取付作業が不要となり、照明装置１１の組立工数を低減させることができる。また、ソケットホルダ２２をハウジング１３に対して取り付けるための工具が不要となり、組立作業を簡単にすることができる。さらに、ソケットホルダ２２を独立して設計する必要がなくなるため、設計が簡単になる。
【００３８】
（２）ハウジング１３には、蛍光灯用ソケット２３を同ハウジング１３の裏面側からソケットホルダ２２に対して装着可能としたソケット取付用孔４５を形成した。そして、照明装置１１の組立作業時には、ハウジング１３の裏面側からソケット取付用孔４５を介して蛍光灯用ソケット２３をソケットホルダ２２に対して装着するようにした。一般に、各種の基盤等の電気部品及び配線等は全てハウジング１３の裏面側に配設されることから、照明装置１１の組付作業効率を向上させることができる。組立作業の途中でハウジング１３の表面側での作業と裏面側での作業とを交互に行う必要がないからである。
【００３９】
（３）ソケットホルダ２２には、蛍光灯用ソケット２３を係止するためのソケット係合構造を設けた。具体的には、蛍光灯用ソケット２３の両係合凹部５２，５２に対してそれぞれ係合可能とした一対の係合凸部４３，４３をソケットホルダ２２に形成した。このため、ソケットホルダ２２の両係合凸部４３，４３に対して蛍光灯用ソケット２３の両係合凹部５２，５２がそれぞれ係合することにより、蛍光灯用ソケット２３はソケットホルダ２２に対して係止される。このため、簡単な構成にもかかわらず、蛍光灯用ソケット２３をソケットホルダ２２に対して係止させることができる。
【００４０】
（４）蛍光灯用ソケット２３とソケットホルダ２２との間の係合状態を保持するためのソケットスペーサ６１を別部材として設け、同ソケットスペーサ６１を蛍光灯用ソケット２３とソケットホルダ２２との間に挿入することにより、両者２２，２３間の係合状態が保持されるようにした。ソケットスペーサ６１を蛍光灯用ソケット２３とソケットホルダ２２との間に挿入するだけのため、蛍光灯用ソケット２３をソケットホルダ２２に対して間単に（ワンタッチで）固定することができる。
【００４１】
（５）ソケットホルダ２２には、ソケットスペーサ６１を係止するための係合構造を設けた。具体的には、ソケットスペーサ６１における両アーム部６２，６２の係合突部６３をそれぞれ係合可能とした係合孔４４，４４をソケットホルダ２２に形成した。そして、ソケットスペーサ６１を蛍光灯用ソケット２３とソケットホルダ２２との間に挿入する際、係合突部６３とソケットホルダ２２の内面との摺接に基づいて、アーム部６２が弾性変形した後弾性復帰し、係合突部６３が係合孔４４に係合するようにした。この結果、ソケットスペーサ６１が蛍光灯用ソケット２３とソケットホルダ２２との間に係合保持されるようにした。従って、ソケットスペーサ６１をソケットホルダ２２に対して間単に固定することができる。
【００４２】
（６）ソケットスペーサ６１によりワンタッチで蛍光灯用ソケット２３がソケットホルダ２２に対して固定される。このため、従来と異なり、蛍光灯用ソケット２３取付用の専用金具が不要となり、照明装置１１の組立工程内において、蛍光灯用ソケット２３の専用金具への固定作業がなくなる。従って、照明装置１１の組立作業工数を低減させることができる。
【００４３】
（７）照明装置１１を前記固定用ブラケットに対して固定するための複数の掛止部３２をハウジング１３の裏面側に設けた。ハウジング１３を天井に固定する際には、各掛止部３２を前記固定用ブラケットの被係止部に対して掛止させることによりハウジング１３の片側を支持し、この状態で、両固定部３１，３１を固定用ブラケットに対してボルト締めすることによりハウジング１３のもう片側を固定する。従って、各掛止部３２を仮に固定部３１とした場合と異なり、ボルト締め箇所が少なくなることから、照明装置１１の天井への固定作業を簡単にすることができる。
【００４４】
（８）ハウジング１３において、前記レンズにより覆われる領域以外の部分に両固定部３１，３１を設けた。このため、レンズをハウジング１３に対して装着した状態でハウジング１３を天井に対してボルト締め固定することができる。また、ハウジング１３とレンズとを別々に管理する必要もない。さらに、蛍光ランプ１２が前記レンズにより覆われていることから、ボルト締め作業時、工具と蛍光ランプ１２とが接触することはない。
【００４５】
（９）両固定部３１，３１をハウジング１３の裏面片側に設けた。このため、仮に前記レンズ未装着状態でハウジング１３を天井に固定する場合においても、蛍光ランプ１２を跨いでボルト締めする必要がない。このため、ボルト締め作業時における工具と蛍光ランプ１２との接触による破損を防止することができる。
【００４６】
（別例）
尚、前記実施形態は以下のように変更して実施してもよい。
・本実施形態では、蛍光灯用ソケット２３の係合凹部５２及びソケットホルダ２２の係合凸部４３をそれぞれ２つずつ設けたが、１つ又は３つずつ以上設けるようにしてもよい。
【００４７】
・本実施形態では、ハウジング１３の裏面に対して固定部３１を２箇所設けたが、３箇所、４箇所又は５箇所以上設けるようにしてもよい。
・本実施形態では、ハウジング１３の裏面に対して掛止部３２を３箇所設けたが、２箇所、４箇所又は５箇所以上設けるようにしてもよい。
【００４８】
・本実施形態における蛍光灯用ソケットの取付構造を、家庭用、自動車用及び産業機器用等の蛍光灯器具全般に応用するようにしてもよい。
・本実施形態では、インジェクション成形によりソケットホルダ２２をハウジング１３と一体形成したが、それ以外の成形方法で、ソケットホルダ２２をハウジング１３と一体形成するようにしてもよい。
【図面の簡単な説明】
【００４９】
【図１】本実施形態における照明装置の正面図。
【図２】本実施形態における照明装置の背面図。
【図３】本実施形態における照明装置の側面図。
【図４】本実施形態におけるソケットホルダ、蛍光灯用ソケット及びソケットスペーサの組立状態を示す分解斜視図。
【図５】本実施形態におけるソケットホルダ、蛍光灯用ソケット及びソケットスペーサの組立状態を示す斜視図。
【図６】（ａ），（ｂ）は、それぞれ従来の光灯用ソケットの取付状態を示す斜視図。
【符号の説明】
【００５０】
１１…照明装置、１２…蛍光ランプ、１３…ハウジング、２１…収容凹部、２４…固定用凹部、２５…閉鎖蓋、２６…係合突片、２７…係合突部、３１…ボルト締め固定部、３１ａ…ボルト挿通孔、３２…掛止部。
【図１】
2006012857.tif 000003
【図２】
2006012857.tif 000004
【図３】
2006012857.tif 000005
【図４】
2006012857.tif 000006
【図５】
2006012857.tif 000007
【図６】
2006012857.tif 000008